(57)【要約】【課題】  複数の装置の言語設定を行う際の煩雑な手間を低減するとともにコストの上昇を抑えることができる「言語設定方法および言語設定装置」を提供すること。【解決手段】  ＤＶＤプレーヤ２００において言語設定が行われると、この言語設定の内容を含む言語設定情報がナビゲーション装置１００等の他の装置に送信される。他の装置では、受信した言語設定情報に基づいた言語設定が自動的に行われる。【選択図】        図６
2005241393.tif 000002
【特許請求の範囲】
【請求項１】
複数の装置のそれぞれの言語設定を行う言語設定方法であって、
一の前記装置においてこの装置での処理に必要な言語設定を行う第１のステップと、
前記第１のステップにおいて行われた言語設定の内容を言語設定情報として他の前記装置に送信する第２のステップと、
前記言語設定情報を受信した他の前記装置においてこの装置での処理に必要な言語設定を行う第３のステップと、
を有することを特徴とする言語設定方法。
【請求項２】
請求項１において、
前記第１のステップにおける言語設定はユーザの操作に応じて行われ、前記第３のステップにおける言語設定はユーザが操作することなく自動的に行われることを特徴とする言語設定方法。
【請求項３】
請求項１または２において、
前記言語設定情報には、文字および音声の少なくとも一方の言語が含まれていることを特徴とする言語設定方法。
【請求項４】
請求項３において、
前記複数の装置のそれぞれは、前記言語設定情報に基づいて、文字の言語および音声の言語の少なくとも一方を設定する言語設定部を有することを特徴とする言語設定方法。
【請求項５】
互いに通信が可能な複数の装置のそれぞれにおいて処理に必要な言語設定を行う言語設定装置であって、
ユーザの操作を受け付ける操作手段と、
前記操作手段の操作内容にしたがって自装置の処理に必要な言語設定を行う第１の言語設定手段と、
前記第１の言語設定手段による言語設定の内容を含む言語設定情報を作成して他の前記装置に向けて送信する設定情報送信手段と、
他の前記装置から送られてきた前記言語設定情報を受信してその内容を解析する設定情報解析手段と、
前記設定情報解析手段による解析結果に基づいて自装置の処理に必要な言語設定を行う第２の言語設定手段と、
を備えることを特徴とする言語設定装置。
【発明の詳細な説明】
【技術分野】
【０００１】
本発明は、表示に用いる文字や出力音声の言語設定を行う言語設定方法および言語設定装置に関する。
【背景技術】
【０００２】
従来から、各種の設定を自動で行う車載装置が知られている（例えば、特許文献１参照。）。この車載装置にはカードリーダが備わっており、ＩＤカードに記録された国籍、年齢、氏名、性別等の個人データを読み取ることにより、使用者に最適な言語設定等を行うことが可能になる。
【特許文献１】特開２０００−３１０５３５号公報（第４−６頁、図１−８）
【発明の開示】
【発明が解決しようとする課題】
【０００３】
ところで、上述した特許文献１に開示された車載装置では、カードリーダで読み取った個人情報に基づいて車載装置の言語設定を自動で行うことができるが、これを複数の車載装置に適用しようとすると個別にＩＤカードを挿入して個人データの読み取りを行う必要があるため操作が煩雑になるという問題があった。また、複数の車載装置の設定を自動で行う場合には、各車載装置毎にカードリーダを備える必要があるため、構成に無駄が生じてこれに伴うコスト増加につながるという問題があった。特に、車載装置によってはカードリーダをＩＤカードの読み取り以外の用途に使用しない場合（例えばＣＤプレーヤにカードリーダを備える場合等）が考えられるため、個人データのためだけにカードリーダを備えることは製造コスト、製品コストが大幅に上昇して商品価値を低下させる原因にもなって好ましくない。
【０００４】
本発明は、このような点に鑑みて創作されたものであり、その目的は、複数の装置の言語設定を行う際の煩雑な手間を低減するとともにコストの上昇を抑えることができる言語設定方法および言語設定装置を提供することにある。
【課題を解決するための手段】
【０００５】
上述した課題を解決するために、本発明の言語設定方法は、複数の装置のそれぞれの言語設定を行うために、一の装置においてこの装置での処理に必要な言語設定を行う第１のステップと、第１のステップにおいて行われた言語設定の内容を言語設定情報として他の装置に送信する第２のステップと、言語設定情報を受信した他の装置においてこの装置での処理に必要な言語設定を行う第３のステップとを有している。一の装置において行われた言語設定の内容が言語設定情報として他の装置に送られ、他の装置においては受信した言語設定情報に基づいて処理に必要な言語設定が行われるため、複数の装置のそれぞれにおいて個別に言語設定を行う手間をなくすことができ、言語設定を行う際の煩雑な手間を低減することができる。また、言語設定を行うためにカードリーダ等の特別な部品を備える必要がないことから、構成の簡素化に伴う製造コスト、製品コストの上昇を抑えることができる。
【０００６】
また、上述した第１のステップにおける言語設定はユーザの操作に応じて行われ、第３のステップにおける言語設定はユーザが操作することなく自動的に行われることが望ましい。これにより、ユーザは１回の言語設定操作を行うだけで、言語設定が必要な全ての装置に対する設定処理を行うことが可能になり、重複した無駄な操作をなくすことが可能になり、操作性を向上させることができる。
【０００７】
また、上述した言語設定情報には、文字および音声の少なくとも一方の言語が含まれていることが望ましい。これにより、言語設定情報に基づいて使用可能な言語を知ることができる。
【０００８】
また、上述した複数の装置のそれぞれは、言語設定情報に基づいて、文字の言語および音声の言語の少なくとも一方を設定する言語設定部を有することが望ましい。これにより、言語設定情報に基づいて各装置において必要な言語設定を確実に行うことができる。
【０００９】
また、本発明の言語設定装置は、互いに通信が可能な複数の装置のそれぞれにおいて処理に必要な言語設定を行うために、ユーザの操作を受け付ける操作手段と、操作手段の操作内容にしたがって自装置の処理に必要な言語設定を行う第１の言語設定手段と、第１の言語設定手段による言語設定の内容を含む言語設定情報を作成して他の装置に向けて送信する設定情報送信手段と、他の装置から送られてきた言語設定情報を受信してその内容を解析する設定情報解析手段と、設定情報解析手段による解析結果に基づいて自装置の処理に必要な言語設定を行う第２の言語設定手段とを備えている。したがって、自装置においてユーザ操作に応じて言語設定を行った場合にはその設定内容を示す言語設定情報を他の装置に送信するとともに、他の装置から言語設定情報を受信した場合にはこの内容に基づいて自装置の言語設定を行うことが可能になる。これにより、一の装置において言語設定を行ったときに、同じ内容となるように他の装置における言語設定を自動的に行うことが可能になり、言語設定を行う際の煩雑な手間を低減することができる。また、各装置は、言語設定を行うためにカードリーダ等の特別な部品を備える必要がないことから、構成の簡素化に伴う製造コスト、製品コストの上昇を抑えることができる。
【発明を実施するための最良の形態】
【００１０】
以下、本発明を適用した一実施形態の車載システムについて、図面を参照しながら説明する。
【００１１】
図１は、一実施形態の車載システムの構成を示す図である。図１に示す車載システムは、ナビゲーション装置１００、ＤＶＤプレーヤ２００、ＣＤプレーヤ３００、ハンズフリー電話機４００、ラジオ受信機５００を含んで構成されている。これらは車内バス６００を介して相互に接続されている。なお、図１に示した例では、ナビゲーション装置１００やＤＶＤプレーヤ２００等は車内バス６００を介してリング状に接続されているが、車内バス６００はその他の接続形態（例えばツリー状）であってもよい。
【００１２】
ナビゲーション装置１００は、車両の自車位置周辺の地図画像を描画したり、目的地までの走行経路に沿って右左折交差点等の案内を行う。ＤＶＤプレーヤ２００は、ＤＶＤに記録された映像や音楽を読み出して再生する。ＣＤプレーヤ３００は、ＣＤに記録された音楽を再生する。ハンズフリー電話機４００は、ハンドル等に設置されたマイクロホンと操作部を用いて通話が可能な電話機であり、運転者は運転中であってもハンドルから手をはなさずに電話をかけたり受けたりすることができる。ラジオ受信機５００は、ラジオ放送を受信する。
【００１３】
図２は、ナビゲーション装置１００の詳細な構成を示す図である。図２に示すように、ナビゲーション装置１００は、地図描画部１１０、交差点案内処理部１１２、操作画面作成部１１４、操作部１１５、表示処理部１１６、デジタル−アナログ（Ｄ／Ａ）変換器１１８、言語設定部１２０、通信制御部１２２を含んで構成されている。なお、図２に示す構成は、言語設定に関連する構成を中心に図示されており、言語設定に直接関係しないそれ以外の構成については省略されている。
【００１４】
地図描画部１１０は、地図データに基づいて車両位置周辺の地図画像を描画する処理を行う。地図画像には地名等の文字は、日本語および英語のいずれかが選択的に用いられる。交差点案内処理部１１２は、経路探索処理によって目的地までの走行経路が設定されて経路誘導動作が指示されたときに、この走行経路に沿って存在する右左折交差点の拡大図を描画したり、右左折方向を示す案内音声を出力するための案内音声データを生成する。右左折交差点の拡大図に含まれる文字は、日本語および英語のいずれかが選択的に用いられる。また、音声出力の言語も日本語および英語のいずれかが選択的に用いられ、この言語に対応する音声信号が生成される。操作画面作成部１１４は、ナビゲーション装置１００に対してユーザが各種の操作指示を行うための操作画面を描画する。この操作画面に含まれる文字は、日本語および英語のいずれかが選択的に用いられる。操作部１１５は、操作画面を用いてユーザが各種の操作指示を行うものであり、複数の入力キーや操作つまみ、操作レバー等を備える。
【００１５】
表示処理部１１６は、地図描画部１１０によって描画された地図画像や交差点案内処理部１１２によって描画された右左折交差点の拡大図あるいは操作画面作成部１１４によって描画された操作画面をディスプレイ装置７００に表示する。なお、ディスプレイ装置７００は、ナビゲーション装置１００の映像出力用に用いられるが、他の構成（ＤＶＤプレーヤ２００等）の映像出力用にも用いられる。デジタル−アナログ変換器１１８は、交差点案内処理部１１２から出力される案内音声データが入力されており、日本語あるいは英語による案内音声をスピーカ１１９から出力する。
【００１６】
言語設定部１２０は、ナビゲーション装置１００の表示や音声出力に関する言語設定を行う。この言語設定の指示（日本語を用いるか英語を用いるかの指示）は操作部１１５を用いて行われる。また、通信制御部１２２を介して他の装置から言語設定情報を受信した場合には、この言語設定情報に基づいて言語設定が行われる。通信制御部１２２は、車内バス６００を介したデータの送受信動作を制御する。
【００１７】
図３は、ＤＶＤプレーヤ２００の詳細な構成を示す図である。図３に示すように、ＤＶＤプレーヤ２００は、オーディオデコーダ２１０、ビデオデコーダ２１２、サブピクチャデコーダ２１４、操作画面作成部２１６、操作部２１７、表示処理部２２０、デジタル−アナログ（Ｄ／Ａ）変換器２２２、言語設定部２３０、通信制御部２３２を含んで構成されている。なお、図３に示す構成は、言語設定に関連する構成を中心に図示されており、言語設定に直接関係しないそれ以外の構成については省略されている。
【００１８】
オーディオデコーダ２１０は、ＤＶＤから読み出されたビットストリームに含まれるオーディオパック（Ａ＿ＰＣＫ）に対して所定のデコード処理を行ってオーディオデータを出力する。オーディオデータの言語は、１種類の場合もあるが多種類の場合もあり、ＤＶＤによって異なっている。多種類の言語に対応している場合には、ユーザによって選択された一の言語のオーディオデータが生成される。ビデオデコーダ２１２は、ビットストリームに含まれるビデオパック（Ｖ＿ＰＣＫ）に対して所定のデコード処理を行ってビデオデータを出力する。サブピクチャデコーダ２１４は、ビットストリームに含まれるサブピクチャパック（ＳＰ＿ＰＣＫ）に対して所定のデコード処理を行ってサブピクチャデータを出力する。このサブピクチャデータには字幕データが含まれている。字幕データの言語は、オーディオデータと同様に、１種類の場合もあるが多種類の場合もある。多種類の言語に対応している場合には、ユーザによって選択された一の言語の字幕データが生成される。操作画面作成部２１６は、ＤＶＤプレーヤ２００に対してユーザが各種の操作指示を行うための操作画面を描画する。この操作画面に含まれる文字は、日本語および英語のいずれかが選択的に用いられる。操作部２１７は、操作画面を用いてユーザが各種の操作指示を行うものであり、複数の入力キーや操作つまみ、操作レバー等を備える。
【００１９】
表示処理部２２０は、ビデオデコーダ２１２から出力されるビデオデータとサブピクチャデコーダ２１４から出力されるサブピクチャデータとを合成した画像データを生成し、ディスプレイ装置７００に表示する。また、表示処理部２２０は、操作画面作成部２１６によって操作画面が作成された場合にはこの操作画面をディスプレイ装置７００に表示する。デジタル−アナログ変換器２２２は、オーディオデコーダ２１０から出力されるオーディオデータが入力されており、日本語あるいは英語によるオーディオ音をスピーカ２２４から出力する。
【００２０】
言語設定部２３０は、字幕データ、オーディオデータあるいは操作画面の言語設定を行う。この言語設定の指示は操作部２１７を用いて行われる。また、通信制御部２３２を介して他の装置から言語設定情報を受信した場合には、この言語設定情報に基づいて言語設定が行われる。通信制御部２３２は、車内バス６００を介したデータの送受信動作を制御する。
【００２１】
上述した操作部１１５、２１７が操作手段に、言語設定部１２０、２３０が第１および第２の言語設定手段に、言語設定部１２０、２３０、通信制御部１２２、２３２が設定情報送信手段、設定情報解析手段にそれぞれ対応する。
【００２２】
本実施形態の車載システムはこのような構成を有しており、次に言語設定に関する動作を説明する。
【００２３】
図４は、本実施形態の車載システムに含まれる各装置における言語設定の動作手順を示す流れ図である。例えば、ＤＶＤプレーヤ２００における動作を例にとって説明する。
【００２４】
言語設定部２３０は、通信制御部２３２を介して他の装置から言語設定情報を受信したか否かを判定する（ステップ１００）。未受信の場合には否定判断が行われ、次に、言語設定部２３０は、操作部２１７を用いてユーザによる言語設定指示がなされたか否かを判定する（ステップ１０１）。指示がなされていない場合には否定判断が行われ、ステップ１００に戻って言語設定情報の受信判定が繰り返される。
【００２５】
また、ユーザによる言語設定指示がなされるとステップ１０１の判定において肯定判断が行われ、次に、言語設定部２３０は、操作画面作成部２１６によって作成された操作画面を用いた言語設定処理を行う（ステップ１０２）。
【００２６】
図５は、操作画面の一例を示す図である。図５に示す操作画面は、音声（オーディオデータ）の言語と字幕の言語を選択する言語設定画面であり、一例として音声、字幕のそれぞれについて「日本語」と「英語」のいずれかが選択可能な場合が示されている。この言語設定画面は、ＤＶＤに記録されたタイトルの再生を開始した直後に、あるいは任意のタイミングでユーザの指示に応じて表示される。ユーザは、操作部２１７を操作することにより、音声と字幕のそれぞれについて言語を選択する。音声に対応する言語の設定内容はオーディオデコーダ２１０に、字幕に対応する言語の設定内容はサブピクチャデコーダ２１４に送られ、設定内容で指定された言語に対応するデコード処理が行われる。
【００２７】
また、言語設定部２３０は、言語設定処理によって設定された設定内容を示す言語設定情報を作成し（ステップ１０３）、通信制御部２３２から車内バス６００を介してナビゲーション装置１００等の他の装置に向けて送信する（ステップ１０４）。この送信は、各装置を送信先として指定した個別の送信データを作成することにより行ってもよいし、送信先を特定しない送信データを作成することにより行ってもよい。言語設定情報の送信が終了した後、ステップ１００に戻って言語設定情報受信の有無判定が繰り返される。
【００２８】
また、言語設定情報が他の装置から送られてきた場合にはステップ１００において肯定判断が行われる。
【００２９】
以下では、ＤＶＤプレーヤ２００から送信された言語設定情報をナビゲーション装置１００で受信した場合について説明する。
【００３０】
ナビゲーション装置１００内の言語設定部１２０は、ステップ１００の判定において肯定判断を行うと、ＤＶＤプレーヤ２００から受信した言語設定情報の内容を解析する（ステップ１０５）。次に、言語設定部１２０は、解析した言語設定の内容が、ナビゲーション装置１００の現在の設定内容と一致するか否かを判定する（ステップ１０６）。一致する場合には肯定判断が行われ、ステップ１００に戻って言語設定情報受信の有無判定が繰り返される。また、設定内容が異なる場合にはステップ１０６の判定において否定判断が行われ、次に、言語設定部１２０は、受信した言語設定情報の解析結果と同じになるように言語設定処理を行う（ステップ１０７）。
【００３１】
図６は、本実施形態の車載システムにおける言語設定の概要を示す図である。図６に示すように、ＤＶＤプレーヤ２００においてユーザの指示に応じて言語設定が行われると（第１のステップ）、この設定内容を示す言語設定情報が他の装置に向けて送られる（第１のステップ）。図１に示すシステム構成の場合には、ハンズフリー電話機４００は表示や音声についての言語設定は必要ないため、それ以外のナビゲーション装置１００、ラジオ受信機５００、ＣＤプレーヤ３００においてこの言語設定情報が受信され、それぞれの言語設定部に入力される。なお、図６では、言語設定情報がナビゲーション装置１００、ラジオ受信機５００、ＣＤプレーヤ３００の順番で受信されるように図示したが、この順番は重要ではなく、装置の接続形態によって適宜順番は変更されてもよい。
【００３２】
言語設定情報を受信したナビゲーション装置１００では、この情報に基づいて、地図画像、交差点案内の拡大図の文字や操作画面の文字の言語が設定されるとともに、交差点案内を行う案内音声の言語が自動的に設定される（第３のステップ）。また、言語設定情報を受信したラジオ受信機５００やＣＤプレーヤ３００では、この情報に基づいて、操作画面の文字の言語が自動的に設定される（第３のステップ）。なお、この例では、ラジオ受信機５００とＣＤプレーヤ３００では、操作画面内の文字についてのみ言語設定が可能であるものとしたが、例えば操作内容を音声で出力する場合にはこの音声の言語も言語設定情報に基づいて自動的に設定される。
【００３３】
このように、本実施形態の車載システムでは、例えばＤＶＤプレーヤ１００においてユーザの操作に応じて言語設定を行った場合に、その設定内容を示す言語設定情報がナビゲーション装置１００等の他の装置に送信され、この言語設定情報を受信した他の装置ではこの受信した言語設定情報に基づいて自動的に言語設定が行われる。これにより、一の装置において言語設定を行ったときに、同じ内容となるように他の装置における言語設定を自動的に行うことが可能になり、言語設定を行う際の煩雑な手間を低減することができる。また、各装置は、言語設定を行うためにカードリーダ等の特別な部品を備える必要がないことから、構成の簡素化に伴う製造コスト、製品コストの上昇を抑えることができる。
【００３４】
特に、ユーザは１回の言語設定操作を行うだけで、言語設定が必要な全ての装置に対する設定処理を行うことが可能になり、重複した無駄な操作をなくすことが可能になり、操作性を向上させることができる。
【００３５】
なお、本発明は上記実施形態に限定されるものではなく、本発明の要旨の範囲内において種々の変形実施が可能である。例えば、上述した実施形態では、ＤＶＤプレーヤ２００において行われた言語設定処理によって音声と字幕（文字）の両方の言語が設定されたが、ユーザが操作した装置によってはいずれか一方のみの設定が行われる場合がある。例えば、ユーザがＣＤプレーヤ３００を操作して言語設定を行った場合に、操作画面に含まれる文字の言語のみを設定するものとすると、文字の言語設定はなされるが音声の言語設定はなされないことになる。このような一部の設定内容のみを含む言語設定情報を受信した場合には、ＤＶＤプレーヤ２００等においては、他方の設定内容（音声の言語）も文字の設定内容にあわせて変更することが望ましい。
【００３６】
また、言語設定情報に含まれる音声の言語と文字の言語が異なる場合に、この言語設定情報を受信した他の装置では、あらかじめ設定された優先順位が高い方の設定内容（例えば音声の言語）を用いて音声と文字の両方の言語設定を行うようにしてもよい。
【００３７】
また、上述した実施形態では、車載システムを構成する各装置における言語設定について説明したが、車載以外のシステムに含まれる複数の装置の言語設定に本発明を適用するようにしてもよい。
【図面の簡単な説明】
【００３８】
【図１】一実施形態の車載システムの構成を示す図である。
【図２】ナビゲーション装置の詳細な構成を示す図である。
【図３】ＤＶＤプレーヤの詳細な構成を示す図である。
【図４】車載システムに含まれる各装置における言語設定の動作手順を示す流れ図である。
【図５】操作画面の一例を示す図である。
【図６】車載システムにおける言語設定の概要を示す図である。
【符号の説明】
【００３９】
１００  ナビゲーション装置
１１０  地図描画部
１１２  交差点案内処理部
１１４、２１６  操作画面作成部
１１５、２１７  操作部
１１６、２２０  表示処理部
１１８、２２２  デジタル−アナログ（Ｄ／Ａ）変換器
１２０、２３０  言語設定部
１２２、２３２  通信制御部
２００  ＤＶＤプレーヤ
２１０  オーディオデコーダ
２１２  ビデオデコーダ
２１４  サブピクチャデコーダ
３００  ＣＤプレーヤ
４００  ハンズフリー電話機
５００  ラジオ受信機
６００  車内バス
【図１】
2005241393.tif 000003
【図２】
2005241393.tif 000004
【図３】
2005241393.tif 000005
【図４】
2005241393.tif 000006
【図５】
2005241393.tif 000007
【図６】
2005241393.tif 000008